(57)【要約】【課題】蓋を回転した際の回転トルクを十分に離脱部に伝えることができるキャップを提供する。【解決手段】蓋５は内側および外側保持部３２，３３を有し、蓋５が閉じた状態で、中栓４の離脱部１４が蓋５の内側保持部３２と外側保持部３３との間に保持され、離脱部１４の外周に第１の外周側係合部４１が形成され、離脱部１４の内周に第１の内周側係合部４２が形成され、内側保持部３２の外周に第２の外周側係合部５０が形成され、外側保持部３３の内周に第２の内周側係合部５１が形成され、蓋５が開方向へ回転した際、第２の内周側係合部５１が開方向において第１の外周側係合部４１に係合するとともに、第２の外周側係合部５０が開方向において第１の内周側係合部４２に係合する。【選択図】図３
2019006431.tif 000002
【特許請求の範囲】
【請求項１】
容器の口部に取り付けられる中栓と、回転することにより中栓に着脱自在なねじ式の蓋とを有し、
中栓は周囲が破断可能な弱化部で囲まれた筒状の離脱部を有し、
弱化部が破断して離脱部が中栓から離脱することにより、中栓に注出口が形成されるキャップであって、
蓋は、内部に、内外二重に配設された筒状の内側および外側保持部を有し、
蓋が閉じた状態で、中栓の離脱部が蓋の内側保持部と外側保持部との間に保持され、
離脱部の外周に第１の外周側係合部が形成され、
離脱部の内周に第１の内周側係合部が形成され、
外側保持部の内周に第２の内周側係合部が形成され、
内側保持部の外周に第２の外周側係合部が形成され、
蓋が開方向へ回転した際、第２の内周側係合部が開方向において第１の外周側係合部に係合するとともに、第２の外周側係合部が開方向において第１の内周側係合部に係合することを特徴とするキャップ。
【請求項２】
第１の外周側係合部と第１の内周側係合部と第２の内周側係合部と第２の外周側係合部とはそれぞれ周方向において複数形成されていることを特徴とする請求項１記載のキャップ。
【請求項３】
第１の外周側係合部は離脱部の外周面から径方向外側へ突出する突起であり、
第１の内周側係合部は離脱部の内周面から径方向内側へ突出する突起であり、
第２の内周側係合部は外側保持部の内周面から径方向内側へ突出する突起であり、
第２の外周側係合部は内側保持部の外周面から径方向外側へ突出する突起であり、
周方向において隣同士の第１の外周側係合部間に第２の内周側係合部が挿入され、
周方向において隣同士の第１の内周側係合部間に第２の外周側係合部が挿入されていることを特徴とする請求項２記載のキャップ。
【請求項４】
第１の外周側係合部は外側保持部を離脱部の径方向外側へ案内する外側案内部を有し、
第１の内周側係合部は内側保持部を離脱部の径方向内側へ案内する内側案内部を有していることを特徴とする請求項２又は請求項３に記載のキャップ。
【請求項５】
第１の外周側係合部と第１の内周側係合部とが周方向において交互に配置されていることを特徴とする請求項２から請求項４のいずれか１項に記載のキャップ。
【請求項６】
離脱部は、円筒部と、円筒部の底部を閉鎖する閉鎖部とを有し、
第１の外周側係合部が円筒部の外周に形成され、
第１の内周側係合部が円筒部の内周に形成されていることを特徴とする請求項１から請求項５のいずれか１項に記載のキャップ。
【請求項７】
閉鎖部の底面に、付着した液を集めて滴下させる勾配を設けたことを特徴とする請求項６に記載のキャップ。
【発明の詳細な説明】
【技術分野】
【０００１】
本発明は、容器の口部に取り付けられるキャップに関する。
【背景技術】
【０００２】
従来、この種のキャップとしては、例えば図１４，図１５に示すように、容器１０１の口部１０２に取り付けられる中栓１０３と、回転することにより中栓１０３に着脱自在なねじ式の蓋１０４とを有し、中栓１０３は周囲が破断可能な弱化部１０５で囲まれた円筒状の離脱部１０６を有し、弱化部１０５が破断して離脱部１０６が中栓１０３から離脱することにより、中栓１０３に注出口が形成されるものがある。
【０００３】
蓋１０４は、内部に、円筒状の保持部１１０を有している。図１４に示すように、蓋１０４が閉じた状態で、中栓１０３の離脱部１０６が下方から蓋１０４の保持部１１０内に挿入されている。離脱部１０６の外周に複数の外周側係合部１１１が形成され、保持部１１０の内周に複数の内周側係合部１１２が形成されている。尚、外周側係合部１１１は離脱部１０６の外周面から径方向外側へ突出した突起であり、内周側係合部１１２は保持部１１０の内周面から径方向内側へ突出した突起である。
【０００４】
これによると、蓋１０４を開方向Ｏへ回転した際、開方向Ｏにおいて内周側係合部１１２が外周側係合部１１１に係合し、これにより、蓋１０４を回転した際の回転トルクが内周側係合部１１２と外周側係合部１１１とを介して離脱部１０６に作用し、この回転トルクによって弱化部１０５が破断し、離脱部１０６が中栓１０３から離脱し、中栓１０３に注出口が形成される。
【０００５】
尚、上記のようなキャップは例えば下記特許文献１に記載されている。
【先行技術文献】
【特許文献】
【０００６】
【特許文献１】特開２０１６−８０５８
【発明の概要】
【発明が解決しようとする課題】
【０００７】
しかしながら上記の従来形式では、大きな回転トルクが離脱部１０６の外周側係合部１１１に作用した場合、離脱部１０６や外周側係合部１１１が径方向内側Ｄ２に撓んで逃げ、回転トルクが十分に離脱部１０６に伝えられない虞がある。
【０００８】
本発明は、蓋を回転した際の回転トルクを十分に離脱部に伝えることができるキャップを提供することを目的とする。
【課題を解決するための手段】
【０００９】
上記目的を達成するために、本第１発明は、容器の口部に取り付けられる中栓と、回転することにより中栓に着脱自在なねじ式の蓋とを有し、
中栓は周囲が破断可能な弱化部で囲まれた筒状の離脱部を有し、
弱化部が破断して離脱部が中栓から離脱することにより、中栓に注出口が形成されるキャップであって、
蓋は、内部に、内外二重に配設された筒状の内側および外側保持部を有し、
蓋が閉じた状態で、中栓の離脱部が蓋の内側保持部と外側保持部との間に保持され、
離脱部の外周に第１の外周側係合部が形成され、
離脱部の内周に第１の内周側係合部が形成され、
外側保持部の内周に第２の内周側係合部が形成され、
内側保持部の外周に第２の外周側係合部が形成され、
蓋が開方向へ回転した際、第２の内周側係合部が開方向において第１の外周側係合部に係合するとともに、第２の外周側係合部が開方向において第１の内周側係合部に係合するものである。
【００１０】
これによると、蓋を開方向へ回転した際、開方向において、第２の内周側係合部が第１の外周側係合部に係合するとともに、第２の外周側係合部が第１の内周側係合部に係合し、これにより、蓋を回転した際の回転トルクが第２の内周側係合部と第１の外周側係合部および第２の外周側係合部と第１の内周側係合部を介して離脱部に作用し、この回転トルクによって弱化部が破断する。
【００１１】
この際、離脱部が蓋の内側保持部と外側保持部との間に保持されているため、大きな回転トルクが離脱部の第１の外周側および内周側係合部に作用しても、離脱部や第１の外周側係合部が径方向内側に撓んで逃げたり、或いは、離脱部や第１の内周側係合部が径方向外側に撓んで逃げたりするのを防止することができる。
【００１２】
これにより、蓋を回転した際の回転トルクが十分に離脱部に伝えられて、弱化部が確実に破断され、離脱部が中栓から離脱し、中栓に注出口が形成される。
【００１３】
本第２発明におけるキャップは、第１の外周側係合部と第１の内周側係合部と第２の内周側係合部と第２の外周側係合部とはそれぞれ周方向において複数形成されているものである。
【００１４】
これによると、蓋を開方向へ回転した際、開方向において、複数の第２の内周側係合部が複数の第１の外周側係合部に係合するとともに、複数の第２の外周側係合部が複数の第１の内周側係合部に係合するため、開方向の力が、離脱部の外周側において複数の第１の外周側係合部に分散して作用するとともに、離脱部の内周側において複数の第１の内周側係合部に分散して作用する。このため、開方向の力がいずれかの第１の外周側係合部又は第１の内周側係合部に集中することはなく、第１の外周側係合部および第１の内周側係合部の損傷を防止することができる。
【００１５】
本第３発明におけるキャップは、第１の外周側係合部は離脱部の外周面から径方向外側へ突出する突起であり、
第１の内周側係合部は離脱部の内周面から径方向内側へ突出する突起であり、
第２の内周側係合部は外側保持部の内周面から径方向内側へ突出する突起であり、
第２の外周側係合部は内側保持部の外周面から径方向外側へ突出する突起であり、
周方向において隣同士の第１の外周側係合部間に第２の内周側係合部が挿入され、
周方向において隣同士の第１の内周側係合部間に第２の外周側係合部が挿入されているものである。
【００１６】
これによると、中栓に対して上方から蓋を打栓して、蓋を中栓に装着する際、蓋の第２の内周側係合部が上方から中栓の第１の外周側係合部間に挿入され、蓋の第２の外周側係合部が上方から中栓の第１の内周側係合部間に挿入されるため、蓋を無理せずにスムーズに中栓に打栓することができる。
【００１７】
本第４発明におけるキャップは、第１の外周側係合部は外側保持部を離脱部の径方向外側へ案内する外側案内部を有し、
第１の内周側係合部は内側保持部を離脱部の径方向内側へ案内する内側案内部を有しているものである。
【００１８】
これによると、中栓に対して上方から蓋を打栓して、蓋を中栓に装着する際、外側保持部が第１の外周側係合部の外側案内部によって離脱部の径方向外側へ案内され、内側保持部が第１の内周側係合部の内側案内部によって離脱部の径方向内側へ案内されるため、離脱部が確実に内側保持部と外側保持部との間に挿入される。
【００１９】
本第５発明におけるキャップは、第１の外周側係合部と第１の内周側係合部とが周方向において交互に配置されているものである。
【００２０】
これによると、蓋を開方向へ回転した際、開方向において、複数の第２の内周側係合部が複数の第１の外周側係合部に係合するとともに、複数の第２の外周側係合部が複数の第１の内周側係合部に係合する。この際、第１の外周側係合部と第１の内周側係合部とが周方向において交互に配置されているため、開方向の力が離脱部の周方向において均等に分散して作用する。これにより、開方向の力が離脱部の周方向における特定箇所に偏って集中することはなく、離脱部の変形を防止することができる。
【００２１】
本第６発明におけるキャップは、離脱部は、円筒部と、円筒部の底部を閉鎖する閉鎖部とを有し、
第１の外周側係合部が円筒部の外周に形成され、
第１の内周側係合部が円筒部の内周に形成されているものである。
【００２２】
これによると、未使用のキャップを容器の口部に取り付けた状態では、離脱部の円筒部の底部は閉鎖部で閉鎖されているため、容器内の液が離脱部の円筒部内に侵入するのを阻止することができる。これにより、容器内の液が離脱部の円筒部内に付着してそのまま残留するのを防止することができる。
【００２３】
本第７発明におけるキャップは、閉鎖部の底面に、付着した液を集めて滴下させる勾配を設けたものである。
【００２４】
これによると、未使用のキャップを容器の口部に取り付けた状態で、容器内の液が閉鎖部の底面に付着しても、付着した液は閉鎖部の底面の勾配によって集められて容器内に滴下する。これにより、閉鎖部の底面に付着する液の付着量が低減される。
【発明の効果】
【００２５】
以上のように本発明によると、蓋を開方向へ回転したときの回転トルクによって弱化部を破断する際、離脱部が蓋の内側保持部と外側保持部との間に保持されているため、大きな回転トルクが離脱部の第１の外周側および内周側係合部に作用しても、離脱部や第１の外周側係合部が径方向内側に撓んで逃げたり、或いは、離脱部や第１の内周側係合部が径方向外側に撓んで逃げたりするのを防止することができる。
【００２６】
これにより、蓋を回転した際の回転トルクが十分に離脱部に伝えられて、弱化部が確実に破断され、離脱部が中栓から離脱し、中栓に注出口が形成される。
【図面の簡単な説明】
【００２７】
【図１】本発明の実施の形態におけるキャップの縦断面図である。
【図２】図１におけるＸ−Ｘ矢視図である。
【図３】同、キャップの縦断面図であり、蓋を中栓に打栓する前の分離した様子を示す。
【図４】図３におけるＸ−Ｘ矢視図である。
【図５】同、キャップの中栓の離脱部の一部拡大縦断面図である。
【図６】図５におけるＸ−Ｘ矢視図である。
【図７】同、キャップの縦断面図であり、離脱部を中栓から離脱して開栓した様子を示す。
【図８】図３におけるＹ−Ｙ矢視図である。
【図９】同、蓋の一部拡大縦断面図である。
【図１０】同、キャップ内に設けられた撥音機構の拡大図である。
【図１１】図９におけるＸ−Ｘ矢視図である。
【図１２】図９におけるＹ−Ｙ矢視図である。
【図１３】同、キャップの一部拡大横断面図であり、蓋を開方向に回して、第２の内周側係合突起が第１の外周側係合突起に係合するとともに、第２の外周側係合突起が第１の内周側係合突起に係合した様子を示す。
【図１４】従来のキャップの縦断面図である。
【図１５】同、キャップの縦断面図であり、蓋を中栓に打栓する前の分離した様子を示す。
【発明を実施するための形態】
【００２８】
以下、本発明における実施の形態を、図面を参照して説明する。
【００２９】
（第１の実施の形態）
第１の実施の形態では、図１に示すように、１はキャップであり、容器２の口部３に取り付けられる中栓４と、回転することにより中栓４に着脱自在なねじ式の蓋５とを有している。尚、キャップ１の軸心方向Ａを上下方向とし、キャップ１の軸心３６に直交する方向を径方向Ｂとし、軸心３６を中心とする円周方向を周方向Ｃと定義する。
【００３０】
図３〜図６に示すように、中栓４は、口部３に嵌められる台座部１０と、台座部１０上に設けられた周壁部１１と、周壁部１１上に設けられた円筒状の注出筒１２と、周囲が薄肉の破断可能な弱化部１３で囲まれた離脱部１４とを有している。
【００３１】
周壁部１１の外周面には雄ねじ１５が形成されている。また、周壁部１１の上面には、上向きに突出した複数の第１閉ストッパー１６と、上向きに突出した複数の突部１７とが設けられている。
【００３２】
離脱部１４は、注出筒１２の内部にあり、上部が開口した円筒部１９と、円筒部１９の底部を閉鎖する円形状の閉鎖部２０とを有している。閉鎖部２０の底面２１は、中央部が下向きに膨らんだ円弧形状であり、付着した容器２内の液２２を中央部に集めて滴下させる勾配を有している。
【００３３】
図７に示すように、弱化部１３が破断して離脱部１４が中栓４から離脱することにより、注出筒１２内に注出口２４が形成される。
【００３４】
図３，図８，図９に示すように、蓋５は、円形の頂板部３０と、頂板部３０の外周縁から垂下された円筒状のスカート部３１と、内外二重に配設された円筒形状の内側および外側保持部３２，３３と、下部が開口した円筒形状の周筒部３４と、下部が開口した円筒形状の閉止用筒部３５とを有している。内側および外側保持部３２，３３と周筒部３４と閉止用筒部３５とは、スカート部３１の内部にあり、軸心３６を中心とする同心円状に配置されている。
【００３５】
周筒部３４の内周面には、中栓４の雄ねじ１５に螺合する雌ねじ３８と、複数の第２閉ストッパー３９と、複数の撥音用突片４０とが設けられている。蓋５を閉方向Ｓに回して中栓４に締め付けた際、第２閉ストッパー３９が閉方向Ｓから第１閉ストッパー１６の端部に当接することで、蓋５をこれ以上閉方向Ｓへ回すことが阻止される。
【００３６】
また、蓋５を開方向Ｏ又は閉方向Ｓに回した際、図１０に示すように、撥音用突片４０の下端部が中栓４の突部１７（図４参照）に当接して突部１７上を周方向Ｃに通過する度に、音が発せられる。尚、撥音用突片４０と突部１７とで撥音機構が構成されている。
【００３７】
図１，図２に示すように、蓋５が閉じた状態で、離脱部１４の円筒部１９が蓋５の内側保持部３２と外側保持部３３との間に挟まれて保持される。
【００３８】
図３〜図６に示すように、離脱部１４の円筒部１９の外周面に第１の外周側係合突起４１（第１の外周側係合部の一例）が形成され、円筒部１９の内周面に第１の内周側係合突起４２（第１の内周側係合部の一例）が形成されている。
【００３９】
第１の外周側係合突起４１は、円筒部１９の外周面から径方向外側へ突出しており、周方向Ｃにおいて所定角度（例えば９０°）おきに複数個（例えば４個）形成されている。また、第１の内周側係合突起４２は、円筒部１９の内周面から径方向内側へ突出しており、周方向Ｃにおいて所定角度（例えば９０°）おきに複数個（例えば４個）形成されている。
【００４０】
また、第１の外周側係合突起４１と第１の内周側係合突起４２とは周方向Ｃにおいて交互に配置されている。すなわち、周方向Ｃにおいて隣同士の第１の外周側係合突起４１の中間箇所に第１の内周側係合突起４２が位置するとともに、周方向Ｃにおいて隣同士の第１の内周側係合突起４２の中間箇所に第１の外周側係合突起４１が位置している。
【００４１】
第１の外周側係合突起４１は、その上部に、外側保持部３３を離脱部１４の径方向外側Ｄ１へ案内する第１の外側案内部４５を有している。第１の外側案内部４５は下部ほど径方向外側Ｄ１へ傾斜している傾斜部である。尚、第１の外周側係合突起４１は上端部が次第に細くなって尖っている。
【００４２】
第１の内周側係合突起４２は、その上部に、内側保持部３２を離脱部１４の径方向内側Ｄ２へ案内する第１の内側案内部４６を有している。第１の内側案内部４６は下部ほど径方向内側Ｄ２へ傾斜している傾斜部である。尚、第１の内周側係合突起４２は上端部が次第に細くなって尖っている。
【００４３】
図３，図８，図９，図１１，図１２に示すように、蓋５の内側保持部３２の外周面に第２の外周側係合突起５０（第２の外周側係合部の一例）が形成され、また、外側保持部３３の内周面に第２の内周側係合突起５１（第２の内周側係合部の一例）が形成されている。
【００４４】
第２の外周側係合突起５０は、内側保持部３２の外周面から径方向外側へ突出しており、周方向Ｃにおいて所定角度（例えば９０°）おきに複数個（例えば４個）形成されている。
【００４５】
また、第２の内周側係合突起５１は、外側保持部３３の内周面から径方向内側へ突出しており、周方向Ｃにおいて所定角度（例えば９０°）おきに複数個（例えば４個）形成されている。
【００４６】
また、第２の外周側係合突起５０と第２の内周側係合突起５１とは周方向Ｃにおいて交互に配置されている。すなわち、周方向Ｃにおいて隣同士の第２の外周側係合突起５０の中間箇所に第２の内周側係合突起５１が位置するとともに、周方向Ｃにおいて隣同士の第２の内周側係合突起５１の中間箇所に第２の外周側係合突起５０が位置している。
【００４７】
第２の外周側係合突起５０は、その下部に、離脱部１４の円筒部１９を内側保持部３２の径方向外側Ｄ１へ案内する第２の外側案内部５５を有している。第２の外側案内部５５は上部ほど径方向外側Ｄ１へ傾斜している傾斜部である。
【００４８】
第２の内周側係合突起５１は、その下部に、離脱部１４の円筒部１９を外側保持部３３の径方向内側Ｄ２へ案内する第２の内側案内部５６を有している。第２の内側案内部５６は上部ほど径方向内側Ｄ２へ傾斜している傾斜部である。
【００４９】
図２に示すように、周方向Ｃにおいて隣同士の第１の外周側係合突起４１間に第２の内周側係合突起５１が挿入され、周方向Ｃにおいて隣同士の第１の内周側係合突起４２間に第２の外周側係合突起５０が挿入されている。
図２に示した未使用状態から蓋５を開方向Ｏへ回転した際、図１３に示すように、第２の内周側係合突起５１が開方向Ｏにおいて第１の外周側係合突起４１に係合するとともに、第２の外周側係合突起５０が開方向Ｏにおいて第１の内周側係合突起４２に係合する。
【００５０】
以下、上記構成における作用を説明する。
【００５１】
図３に示すように、蓋５を、中栓４に対して上方から下方へ打栓して、中栓４に装着する際、図２に示すように、上方から、蓋５の第２の内周側係合突起５１が中栓４の周方向Ｃにおいて隣同士の第１の外周側係合突起４１間に挿入されるとともに、蓋５の第２の外周側係合突起５０が中栓４の周方向Ｃにおいて隣同士の第１の内周側係合突起４２間に挿入される。このため、蓋５を無理せずにスムーズに中栓４に打栓することができる。
【００５２】
また、上記のような打栓の際には、図５に示すように、蓋５の外側保持部３３が第１の外周側係合突起４１の第１の外側案内部４５によって離脱部１４の径方向外側Ｄ１へ案内され、内側保持部３２が第１の内周側係合突起４２の第１の内側案内部４６によって離脱部１４の径方向内側Ｄ２へ案内される。これにより、離脱部１４が正確に内側保持部３２と外側保持部３３との間に挿入される。
【００５３】
さらに、上記のような打栓の際には、図９に示すように、離脱部１４の円筒部１９が、第２の外周側係合突起５０の第２の外側案内部５５によって内側保持部３２の径方向外側Ｄ１へ案内されるとともに、第２の内周側係合突起５１の第２の内側案内部５６によって外側保持部３３の径方向内側Ｄ２へ案内される。これにより、図１に示すように、内側保持部３２が正確に離脱部１４の円筒部１９の径方向内側Ｄ２に挿入されるとともに、外側保持部３３が正確に離脱部１４の円筒部１９の径方向外側Ｄ１に嵌められる。
【００５４】
上記打栓により蓋５を中栓４に装着した後、この未使用のキャップ１を容器２の口部３に取り付ける。この状態では、図１に示すように、離脱部１４の円筒部１９の底部は閉鎖部２０で閉鎖されているため、容器２内の液２２が離脱部１４の円筒部１９内に侵入するのを阻止することができる。これにより、容器２内の液２２が離脱部１４の円筒部１９内に付着してそのまま残留するのを防止することができる。
【００５５】
また、容器２内の液２２が閉鎖部２０の底面に付着しても、付着した液２２は、図５に示すように、閉鎖部２０の円弧形状の底面２１の勾配によって閉鎖部２０の中央部に集められ、容器２内に滴下する。これにより、閉鎖部２０の底面２１に付着する液２２の付着量が低減される。
【００５６】
その後、キャップ１を開栓して容器２内の液２２を取り出すには、蓋５を開方向Ｏに回せばよい。この際、図１３に示すように、開方向Ｏにおいて、複数の第２の内周側係合突起５１が複数の第１の外周側係合突起４１に係合するとともに、複数の第２の外周側係合突起５０が複数の第１の内周側係合突起４２に係合する。
【００５７】
これにより、蓋５を回した際の回転トルクが第２の内周側係合突起５１と第１の外周側係合突起４１および第２の外周側係合突起５０と第１の内周側係合突起４２を介して離脱部１４に作用し、この回転トルクによって弱化部１３が破断する。
【００５８】
この際、離脱部１４の円筒部１９が蓋５の内側保持部３２と外側保持部３３との間に挟まれて保持されているため、大きな回転トルクが離脱部１４の第１の外周側および内周側係合突起４１，４２に作用しても、離脱部１４や第１の外周側係合突起４１が径方向内側に撓んで逃げたり、或いは、離脱部１４や第１の内周側係合突起４２が径方向外側に撓んで逃げたりするのを防止することができる。
【００５９】
これにより、蓋５を回転した際の回転トルクが十分に離脱部１４に伝えられて、弱化部１３が確実に破断され、離脱部１４が中栓４から離脱し、図７に示すように、中栓４に注出口２４が形成される。
【００６０】
また、上記のように蓋５を開方向Ｏに回して、キャップ１を開栓する際、開方向Ｏの力が、離脱部１４の外周側において複数の第１の外周側係合突起４１に分散して作用するとともに、離脱部１４の内周側において複数の第１の内周側係合突起４２に分散して作用する。このため、開方向Ｏの力がいずれかの第１の外周側係合突起４１又は第１の内周側係合突起４２に集中することはなく、第１の外周側係合突起４１又は第１の内周側係合突起４２の損傷を防止することができる。
【００６１】
さらに、周方向Ｃにおいて隣同士の第１の外周側係合突起４１の中間箇所に第１の内周側係合突起４２が位置するとともに、周方向Ｃにおいて隣同士の第１の内周側係合突起４２の中間箇所に第１の外周側係合突起４１が位置するため、開方向Ｏの力が離脱部１４の周方向Ｃにおいて均等に分散して作用する。これにより、開方向Ｏの力が離脱部１４の周方向Ｃにおける特定箇所に偏って集中することはなく、離脱部１４の変形を防止することができる。
【００６２】
上記のように蓋５を開方向Ｏに回して離脱部１４を中栓４から離脱させ、蓋５を中栓４から取り外すことにより、図７に示すように、注出筒１２内に注出口２４が形成されるため、容器２内の液２２を注出筒１２から外部に注出することができる。この際、中栓４から離脱した離脱部１４は蓋５の内側保持部３２と外側保持部３３との間に保持される。
【００６３】
その後、蓋５を閉方向Ｓに回して中栓４に取り付けることにより、図１に示すように、蓋５の閉止用筒部３５が全周にわたって注出筒１２の先端部内周に密接するため、注出口２４が蓋５で閉じられる。尚、蓋５を閉方向Ｓに回して中栓４に締め付けた際、第２閉ストッパー３９が閉方向Ｓから第１閉ストッパー１６の端部に当接することで、蓋５をこれ以上閉方向Ｓへ回すことが阻止される。
【００６４】
また、蓋５を閉方向Ｓ又は開方向Ｏに回すことにより、撥音用突片４０の下端部が突部１７に当接して突部１７上を周方向Ｃに乗り越える際に、音が発生する。
【符号の説明】
【００６５】
１      キャップ
２      容器
３      口部
４      中栓
５      蓋
１３    弱化部
１４    離脱部
１９    円筒部
２０    閉鎖部
２１    底面
２４    注出口
３２    内側保持部
３３    外側保持部
４１    第１の外周側係合突起（第１の外周側係合部）
４２    第１の内周側係合突起（第１の内周側係合部）
４５    第１の外側案内部
４６    第１の内側案内部
５０    第２の外周側係合突起（第２の外周側係合部）
５１    第２の内周側係合突起（第２の内周側係合部）
Ｃ      周方向
Ｄ１    径方向外側
Ｄ２    径方向内側
Ｏ      開方向
【図１】
2019006431.tif 000003
【図２】
2019006431.tif 000004
【図３】
2019006431.tif 000005
【図４】
2019006431.tif 000006
【図５】
2019006431.tif 000007
【図６】
2019006431.tif 000008
【図７】
2019006431.tif 000009
【図８】
2019006431.tif 000010
【図９】
2019006431.tif 000011
【図１０】
2019006431.tif 000012
【図１１】
2019006431.tif 000013
【図１２】
2019006431.tif 000014
【図１３】
2019006431.tif 000015
【図１４】
2019006431.tif 000016
【図１５】
2019006431.tif 000017